(57)【要約】      （修正有）【課題】折り畳んで閉鎖状態であっても有効活用できる機能を有する折り畳みデスクを提供する。【解決手段】第１表側１Ａと第１裏側１Ｂを有する本体部（第１箱体）１と、第２表側２Ａと第２裏側２Ｂを有する扉（第２箱体）２と、第１表側１Ａと第２表側２Ａが開放された開放状態と、第１表側１Ａと第２表側２Ａが閉鎖された閉鎖状態に開閉移動できるように、本体部１と扉２とを連結する蝶番３と、本体部１の第１表側１Ａに設けられ、収納状態と使用状態に切り替え可能なデスク４と、を備えた折り畳みデスクであって、扉２は、第２表側２Ａと第２裏側２Ｂの双方に物品の収容空間が設けられていることを特徴とする。【選択図】図３
0003230887.tif 000002
【実用新案登録請求の範囲】
【請求項１】
第１表側と第１裏側を有する第１箱体と、
第２表側と第２裏側を有する第２箱体と、
前記第１表側と前記第２表側が開放された開放状態と、前記第１表側と前記第２表側が閉鎖された閉鎖状態に開閉移動できるように、前記第１箱体と前記第２箱体とを連結する蝶番と、
前記第１箱体の第１表側に設けられ、収納状態と使用状態に切り替え可能なデスクと、を備えた折り畳みデスクであって、
前記第２箱体は、前記第２表側と前記第２裏側の双方に物品の収容空間が設けられていることを特徴とする折り畳みデスク。
【請求項２】
前記蝶番は、前記第１箱体の右端部と左端部の双方に設けられており、第２箱体と連結するに際し、いずれかを選択可能に構成したことを特徴とする請求項１に記載の折り畳みデスク。
【請求項３】
前記第２箱体は、第２表側の上部に前記収容空間を設け、第２裏側の下部に前記収容空間を設けたことを特徴とする請求項１又は２に記載の折り畳みデスク。
【請求項４】
前記デスクは、デスク天板と、左右のデスク脚により構成され、
前記デスク天板は水平軸周りに回転できるように構成され、
前記左右のデスク脚は、垂直軸周りに回転できるように構成されており、
前記使用状態では、前記デスク脚が前記デスク天板の裏面に位置し、
前記収納状態では、前記デスク脚の上に重なるように前記デスク板が収納されることを特徴とする請求項１〜３のいずれか１項に記載の折り畳みデスク。
【請求項５】
前記第２箱体の第２表側には、棚板が設けられており、前記使用状態において当該棚板とデスク天板の高さが同一になるように設定されていることを特徴とする請求項４に記載の折り畳みデスク。
【請求項６】
前記第２箱体の第２表側には、棚板が設けられており、前記第２表側の収容空間と前記第２裏側の収容空間の境界に前記棚板が設けられていることを特徴とする請求項３に記載の折り畳みデスク。
【考案の詳細な説明】
【技術分野】
【０００１】
本考案は、第１表側と第１裏側を有する第１箱体と、第２表側と第２裏側を有する第２箱体と、前記第１表側と前記第２表側が開放された開放状態と、前記第１表側と前記第２表側が閉鎖された閉鎖状態に開閉移動できるように、前記第１箱体と前記第２箱体とを連結する蝶番と、
前記第１箱体の第１表側に設けられ、収納状態と使用状態に切り替え可能なデスクと、を備えた折り畳みデスクに関する。
【背景技術】
【０００２】
折り畳みデスクに関しては、下記特許文献１に開示される組立式机付書棚が知られている。この組立式机付書棚は、机付書棚と脇書棚が蝶番で連結されており、机付書棚と脇書棚が開放された状態と閉鎖された状態とに開閉移動できるように構成されている。机付書棚と脇書棚はいずれも箱型の形状を有しており、閉鎖状態では２つの箱型をあわせた大きな箱型の形で折り畳むことができるようになっている。
【０００３】
机付書棚には机天板が収納されており、これを使用状態にすることで机として使用できるようになっている。机天板と脚体は折り畳んで机付書棚に収納できるようになっている。
【先行技術文献】
【特許文献】
【０００４】
【特許文献１】実公昭６２−１４９１７号
【考案の概要】
【考案が解決しようとする課題】
【０００５】
上記の机付書棚は、机付書棚と脇書棚が閉鎖した状態ではただの箱体であり、使用する箇所はない。しかしながら、閉鎖した状態であっても何らかの有効活用できる機能があることが好ましい。
【０００６】
本考案は上記実情に鑑みてなされたものであり、その課題は、折り畳んで閉鎖状態であっても有効活用できる機能を有する折り畳みデスクを提供することである。
【課題を解決するための手段】
【０００７】
上記課題を解決するため本考案に係る折り畳みデスクは、
第１表側と第１裏側を有する第１箱体と、
第２表側と第２裏側を有する第２箱体と、
前記第１表側と前記第２表側が開放された開放状態と、前記第１表側と前記第２表側が閉鎖された閉鎖状態に開閉移動できるように、前記第１箱体と前記第２箱体とを連結する蝶番と、
前記第１箱体の第１表側に設けられ、収納状態と使用状態に切り替え可能なデスクと、を備えた折り畳みデスクであって、
前記第２箱体は、前記第２表側と前記第２裏側の双方に物品の収容空間が設けられていることを特徴とするものである。
【０００８】
かかる構成による折り畳みデスクの作用・効果を説明する。この折り畳みデスクは、第１箱体と第２箱体を備えており、両者は蝶番で連結されて開閉移動することができる。すなわち、第１箱体と第２箱体の表側が開放された開放状態と、閉鎖された閉鎖状態とに切り替えることができる。開放状態では、収納されていたデスクを使用状態に切り替えることができる。折り畳みデスクを開放した状態ではデスクを利用して作業を行うことができ、第１箱体と第２箱体の表側の空間を種々活用することができる。また、第２箱体には裏側にも物品の収容空間が設けられている。従って、デスクを使用しない閉鎖状態であっても、裏側の物品の収容空間を有効活用することができる。なお、物品とは書籍、文具、装飾品等であり、特定の種類の物品に限定されるものではない。以上の構成により、折り畳んで閉鎖状態であっても有効活用できる機能を有する折り畳みデスクを提供することができる。
【０００９】
本考案に係る前記蝶番は、前記第１箱体の右端部と左端部の双方に設けられており、第２箱体と連結するに際し、いずれかを選択可能に構成したことが好ましい。
【００１０】
この構成によると、使用者の好みにより、折り畳みデスクの開放状態において、第２箱体を第１箱体の右側に連結したり、左側に連結したりすることができる。
【００１１】
本考案に係る前記第２箱体は、第２表側の上部に前記収容空間を設け、第２裏側の下部に前記収容空間を設けたことが好ましい。
【００１２】
これにより、第２箱体の表裏両面を有効活用することができ、厚さも抑制することができる。
【００１３】
本考案に係る前記デスクは、デスク天板と、左右のデスク脚により構成され、
前記デスク天板は水平軸周りに回転できるように構成され、
前記左右のデスク脚は、垂直軸周りに回転できるように構成されており、
前記使用状態では、前記デスク脚が前記デスク天板の裏面に位置し、
前記収納状態では、前記デスク脚の上に重なるように前記デスク板が収納されることが好ましい。
【００１４】
この構成によると、効率よくデスクを第１箱体に収容させることができ、デスクを使用状態に切り替えるときも、デスク天板とデスク脚を回転させるだけの簡単な操作で行うことができる。
【００１５】
本考案において、前記第２箱体の第２表側には、棚板が設けられており、前記使用状態において当該棚板とデスク天板の高さが同一になるように設定されていることが好ましい。
【００１６】
これにより、見た目も違和感なくすることができ、デスクの使い勝手も良くすることができる。
【００１７】
本考案において、前記第２箱体の第２表側には、棚板が設けられており、前記第２表側の収容空間と前記第２裏側の収容空間の境界に前記棚板が設けられていることが好ましい。
【００１８】
これにより、棚板の上下に収容空間を形成することができる。
【図面の簡単な説明】
【００１９】
【図１】デスクを使用状態に設定した折り畳みデスクの外観斜視図
【図２】デスクを収納状態に設定した外観斜視図
【図３】デスクを使用状態に設定した折り畳みデスクの平面図
【図４】折り畳んだ状態の折り畳みデスクを示す外観斜視図
【図５】扉の裏側を示す図
【図６】折り畳んだ状態の折り畳みデスクの平面図
【図７】折り畳んだ状態の折り畳みデスクの側面図
【図８】折り畳んだ状態の折り畳みデスクの縦断面図
【図９】デスクを使用状態に設定した折り畳みデスクの縦断面図
【図１０】扉を本体部の左側に連結した状態の折り畳みデスクの外観斜視図
【考案を実施するための形態】
【００２０】
本考案に係る折り畳みデスクの好適な実施形態を図面を用いて説明する。図１は、デスクを使用状態に設定した折り畳みデスクの外観斜視図である。図２は、デスクを収納状態に設定した外観斜視図である。図３は、扉を本体部の右側に連結した状態の折り畳みデスクの平面図である。図４は、折り畳んだ状態の折り畳みデスクを示す外観斜視図である。図５は、扉の裏側を示す図である。図６は、折り畳んだ状態の折り畳みデスクの平面図である。図７は、折り畳んだ状態の折り畳みデスクの側面図である。図８は、折り畳んだ状態の折り畳みデスクの縦断面図である。図９は、デスクを使用状態に設定した折り畳みデスクの縦断面図である。
【００２１】
折り畳みデスクは、本体部１（第１箱体）と扉２（第２箱体）が蝶番３により連結された構成である。本体部１も扉２も箱体の形状を呈しており、全体形状は直方体である。図１では、本体部１と扉２の開いた角度は９０゜であるが、最大１８０゜まで開くことができユーザーが自由に設定することができる。
【００２２】
図３に示すように、本体部１は、第１表側１Ａと第１裏側１Ｂを有し、扉２は、第２前側２Ａと第２裏側２Ｂを有する。ここで前側とはデスク等をユーザーが使用する側のことであり、ユーザーから常時見えている側である。また裏側とは、デスク等を使用する側からは見えない部分である。
【００２３】
本体部１は、天板１００、背面板１０１、底板１０２、左側側板１０３と右側側板１０４を備えており、これらの板により形成される内部空間に棚１０，１１，１２が設けられる。一番上の棚１０と中間の棚１１は高さが固定されているが、一番下の棚１２は高さ位置を変更可能である。なお、棚の配置枚数や高さ調整の可否については適宜設定できる事項である。
【００２４】
本体部１にはデスク４が収納可能に設けられている。デスク４を使用するためには、図１に示すようにデスク４を使用状態に設定する。使用しないときは、図２に示すように収納状態に設定する。デスク４は、デスク天板４０と、左右のデスク脚４１，４２により構成される。これらデスク天板４０とデスク脚４１，４２は折り畳むことで収納することができる。
【００２５】
使用状態でデスク天板４０の高さは、一番上の棚１０と同じ高さになる。これにより、デスク天板４０の面積よりも広い面積をデスクとして活用でき利便性を高めることができる。デスク天板４０は、蝶番４３により棚１０の先端に回転可能に取り付けられている。左側のデスク脚４１は、左側側板１０３に蝶番（不図示）で連結され、右側のデスク脚４２は、右側側板１０４に蝶番（不図示）により連結される。これにより、左右のデスク脚４１，４２は、回転可能に取り付けられている。以上のように、デスク天板４０は水平軸周りに回転可能であり、デスク脚４１，４２は垂直軸周りに回転可能である。デスク脚４１，４２は収納状態から９０゜回転させることができる。その上にデスク天板４０を載せる形になる。デスク天板４０は、デスク４を使用状態に設定することを考慮して９０゜以上回転できるようになっている。デスク脚４１，４２は、４本の棒材を組み合わせて製作されるが、デスク脚４１，４２の形態はこれに限定されるものではなく、種々の構成を採用することができる。
【００２６】
扉２は、天板２００、背面板２０１、表面板２０２、右側側板２０３、左側側板２０４、底板２０５により構成されている。図８に示すように、棚２０、２１が設けられている。上側の棚２０より上の空間は物品の収容空間として活用することができる。例えば、書籍や文具等を置くことができる。なお、収容空間をどのように活用するかはユーザーの自由である。棚２０の高さはデスク天板４０の高さと同じになるように設定されている。
【００２７】
扉２の第２裏側２Ｂに棚２１が設けられている。なお、棚２１は設けなくてもよいし、さらに別の棚を追加してもよい。棚２１は固定された高さでもよいし、高さを調整できるようにしてもよい。棚２０の表面は第２表側２Ａに露出しているが、棚２０の裏面は第２裏側２Ｂに露出している。棚２０よりも下側の空間は収容空間として機能する。すなわち、棚２０は、第２表側２Ａの収容空間と第２裏側２Ｂの収容空間の境界に位置する。図８に示されるように、扉２には上下の収容空間が設けられることになる。
【００２８】
棚２１の下方には水平方向にパイプ２２が設けられている。これを利用して、例えば、雑誌を立てかけておいたりすることができる。パイプ２２は金属製あるいは樹脂製である。扉２の第２裏側２Ｂの上部には引っかけパイプ２３が設けられており、タオル、衣類などを引っかけておくことができる。
【００２９】
棚２０の先端には土手２０ａが設けられており、棚２０の後側に置いた物品が不用意に落下しないようにしている。同様の目的で棚２１にも土手２１ａが設けられ、棚１１にも土手１１ａが設けられる。なお、土手を設けるか否かは任意であり、必ずしも設ける必要はない。
【００３０】
扉２の底板２０５の裏面にはキャスター５が設けられている。キャスター５は左右に２カ所設けられている。本体部１の方にはキャスターは設けられていない。従って、本体部１の方は固定された状態にして、扉２の方を動かして開閉することができる。図８に示すように、底板１０２と底板２０５は同じ高さであるが、本体部１の側板１０３，１０４の底面は床に当接するようになっている。これにより、安定した状態で折り畳みデスクを設置することができる。
【００３１】
＜折り畳みデスクの使用方法＞
次に、折り畳みデスクの使用方法について説明する。折り畳みデスクを使用しないときは、図４に示すように、本体部１と扉２は閉鎖した状態である。図４に示すように、閉鎖状態において、デスク４は使用できない状態であるが、棚２１や引っかけパイプ２３を使用することができる。従って、折り畳みデスクを使用しない閉鎖状態にした場合も、書架として有効活用することができる。蝶番３とは反対側の側面にロック機構６が設けており、閉鎖状態を維持することができる。
【００３２】
デスク４を使用するときは、まずは、ロック機構６を解除して、図２に示すように本体部１と扉２を開放状態にする。すなわち、扉２を蝶番３周りに回転させる。次にデスク４を使用状態にセットする。デスク天板４０を持ち上げて、左右のデスク脚４１，４２を前方側に引き出す（回転させる）。引き出されたデスク脚４１，４２の上にデスク天板４０を載置させることで、デスク４の設定が完了する。デスク天板４０の上にパソコンや必要な書類を出したりすることができる。デスク天板４０の上にセットするパソコン等は、棚１０の上に収納しておいてもよいし、別の場所から持ってきてもよい。不図示の椅子は、適宜別の場所から持ってきて使用する。
【００３３】
棚１０の高さはデスク天板４０と同じであるので、デスク４を出して作業するときに、広い面積をデスク４として活用できるので便利である。また、扉２の棚２０もデスク天板４０と同じ高さに設定されているので、同様に便利である。図３は、デスク４を使用状態にセットした状態の折り畳みデスクの平面図である。本体部１と扉２は直角に開いた状態で使用される。
【００３４】
折り畳みデスクを折り畳むときは、上記の逆の手順を踏めばよい。すなわち、まずデスク４を使用状態から収納状態にし、扉２を折り畳み、図４に示す状態にする。次に、扉２を蝶番３周りに回転させて、開放状態から閉鎖状態へと移行する。ロック機構６で本体部１と扉２を閉鎖状態にロックする。
【００３５】
＜別実施形態＞
次に、別実施形態を説明する。本実施形態では、扉２と本体部１を連結する蝶番３は、本体部１の右側に設けられているが、これを左側に設けてもよい。図１０は、蝶番３を左側に設けた場合の折り畳みデスクの開放状態を示している。この場合、ロック機構は、本体部１の右側に設けられることになる。
【００３６】
本実施形態では、扉２にのみキャスター５を設けているが、本体部１にもキャスターを設けてもよい。キャスターは、不用意に動かないようにロック機構を設けることが好ましい。蝶番３については、市販のものを用いることが可能であるが、種々の形態の蝶番を使用することができる。
【符号の説明】
【００３７】
１        本体部（第１箱体）
１Ａ      第１表側
１Ｂ      第１裏側
１０，１１，１２      棚
１００    天板
１０１    背面板
１０２    底板
１０３    左側側板
１０４    右側側板
２        扉（第２箱体）
２Ａ      第２前側
２Ｂ      第２裏側
２０      棚
２１      棚
２２      パイプ
２３      引っかけパイプ
２００    天板
２０１    背面板
２０２    表面板
２０３    右側側板
２０４    左側側板
２０５    底板
３        蝶番
４        デスク
４０      デスク天板
４１，４２      デスク脚
５        キャスター
【図１】
0003230887.tif 000003
【図２】
0003230887.tif 000004
【図３】
0003230887.tif 000005
【図４】
0003230887.tif 000006
【図５】
0003230887.tif 000007
【図６】
0003230887.tif 000008
【図７】
0003230887.tif 000009
【図８】
0003230887.tif 000010
【図９】
0003230887.tif 000011
【図１０】
0003230887.tif 000012